(57)【要約】【課題】側板の板厚に関係なくネジの締結強度を向上させた室外機を提供する。【解決手段】空気調和機の室外機の天部を構成する天板５と、前記室外機の側部を構成する側板２と、ネジ４が螺着されるネジ受け部１とを備え、前記天板５と前記側板２と前記ネジ受け部１とを前記ネジ４で締結する構成とし、前記側板２の板厚の薄肉化、軽量化にも前記ネジ４の締結強度を確保し、前記ネジ４の締結強度を向上させた空気調和機の室外機を提供する。【選択図】図５
2007132590.tif 000002
【特許請求の範囲】
【請求項１】
空気調和機の室外機の天部を構成する天板と、前記室外機の側部を構成する側板と、ネジが螺着されるネジ受け部とを備え、前記天板と前記側板と前記ネジ受け部とをネジで締結する構成としたことを特徴とする空気調和機の室外機。
【請求項２】
ネジ受け部を略Ｕ字形状とし、側板を挟持する構成としたことを特徴とする請求項１に記載の空気調和機の室外機。
【請求項３】
側板には凸部を、ネジ受け部には前記凸部と嵌合する嵌合部を設けることを特徴とする請求項１または２に記載の空気調和機の室外機。
【請求項４】
ネジ受け部の先端部と嵌合部とを連通する連通部を設けることを特徴とする請求項３に記載の空気調和機の室外機。
【請求項５】
ネジ受け部の先端部を外方に延出させたことを特徴とする請求項１〜４のいずれか１項に記載の空気調和機の室外機。
【発明の詳細な説明】
【技術分野】
【０００１】
本発明は、空気調和機の室外機に係る、ネジ締結構造に関するものである。
【背景技術】
【０００２】
従来、この種の空気調和機の室外機は、図６、図７に示すように、基板６０を仕切板７０で区画して、その一方に室外側熱交換器８０と送風機９０を配設し、他方に圧縮機（図示せず）を設けて、外装は天板５０を右側板２０および左側板３０に固定するため右側板２０および左側板３０の複数箇所に雌ネジ部２０ｂを設けてネジ４０を締結している（例えば、特許文献１参照）。
【特許文献１】実開平５−３８２２号公報
【発明の開示】
【発明が解決しようとする課題】
【０００３】
しかしながら、従来の構成では、空気調和機の室外機の小型化や軽量化を目的として、ネジ締結される側板の薄肉化を行う場合、側板に設けられている雌ネジ部の縮小化、脆弱化に繋がるので、側板の薄肉化が困難であるという課題を有していた。
【０００４】
本発明は、前記従来の課題を解決するもので、側板の板厚に関係なくネジの締結強度を向上させた室外機を提供するものである。
【課題を解決するための手段】
【０００５】
前記従来の課題を解決するために、本発明の空気調和機の室外機は、空気調和機の室外機の天部を構成する天板と、前記室外機の側部を構成する側板と、ネジが螺着されるネジ受け部とを備え、前記天板と前記側板と前記ネジ受け部とをネジで締結する構成としたものである。これによって、側板の板厚に関係なく、ネジの締結強度を向上させた室外機を提供することができる。
【発明の効果】
【０００６】
本発明は、側板の板厚に関係なくネジの締結強度を向上させた室外機を提供することができる。
【発明を実施するための最良の形態】
【０００７】
第１の発明は、空気調和機の室外機の天部を構成する天板と、前記室外機の側部を構成する側板と、ネジが螺着されるネジ受け部とを備え、前記天板と前記側板と前記ネジ受け部とをネジで締結する構成としたことにより、側板とは別にネジ受け部を設けた構成となり、側板の板厚に関係なく、ネジはネジ受け部に螺着されるので、側板の板厚の薄肉化、軽量化にもネジの締結強度を確保したまま実現することができる。
【０００８】
第２の発明は、特に、第１の発明において、ネジ受け部を略Ｕ字形状とし、側板を挟持する構成としたことにより、ネジ受け部を側板に配設しやすくなるので、作業の効率を向上させることができる。
【０００９】
第３の発明は、特に、第１または第２の発明において、側板には凸部を、ネジ受け部には前記凸部と嵌合する嵌合部を設ける構成としたことにより、ネジ受け部の位置決めすることができ、さらに、ネジ受け部が側板から外れることを防止するので、作業の効率を向上させることができる。
【００１０】
第４の発明は、特に、第３の発明において、ネジ受け部の先端部と嵌合部とを連通する連通部を設ける構成としたことにより、側板にネジ受け部を懸架させる時に、側板に設けた凸部が、連通部に沿い、凸部と嵌合部とを嵌合しやすくするので、作業の効率を向上させることができる。
【００１１】
第５の発明は、特に、第１〜第４の発明において、ネジ受け部の先端部を外方に延出させた構成としたことにより、ネジ受け部が側板に懸架されやすくなるので、作業の効率を向上させることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外機に配設するネジ受け部の斜視図である。図１において、金属製のネジ受け部１は、略Ｕ字型をしており、一方の端部は、他方の端部よりも短い構成とし、より具体的には、短い端部の懸架端部１ａは、長い端部のネジ受け端部１ｂに配設された雌ネジ部１ｃにはかからない長さである。また、懸架端部１ａには、前記室外機に配設されている凸部と嵌合する嵌合部１ｄを設け、嵌合部１ｄと懸架端部１ａとを連通させる連通部１ｅを設ける。また、それぞれの端部からは、外方に延出する延出部１ｆを設けている。
【００１４】
図２は、本発明の第１の実施の形態における空気調和機の室外機の要部分解斜視図である。図２において、空気調和機の室外機を構成する側板２において、ネジ受け部１が懸架される場所にネジ貫通孔２ａおよび嵌合部１ｄと嵌合する凸部２ｂが配設されている。
【００１５】
図３は、本発明の第１の実施の形態における空気調和機の室外機の要部分解斜視図である。図３において、ネジ受け部１が側板２に懸架され、挟持している様子を示している。
【００１６】
図４は、本発明の第１の実施の形態における空気調和機の室外機の要部斜視図である。図４において、側板２および室外機の天部を構成する天板５およびネジ受け部１がネジ４で結合されている様子を示している。また、図５は、図４で示すＡ−Ａ部の断面図である。
【００１７】
以上のように構成された空気調和機の室外機について、以下その動作、作用を説明する。
【００１８】
まず、側板２と、天板５とをネジ４で結合する時に、凸部２ｂを、連通部１ｅに沿わせてネジ受け部１を側板２に懸架させる。その時、連通部１ｅに凸部２ｂを沿わせてネジ受け部１を挿入すると、嵌合部１ｄと凸部２ｂとが嵌合し、ネジ受け部１は略Ｕ字型であるので、側板２を挟持する。
【００１９】
ネジ受け部１が側板２に配設されると、天板５をかぶせ、天板５に設けてあるネジ貫通孔（図示せず）と、側板２に設けてあるネジ貫通孔２ａと、ネジ受け部１に設けてある雌ネジ部１ｃとをあわせ、ネジ４を用いて側板２、天板５、ネジ受け部１を螺着させる。
【００２０】
この時、ネジ受け部１は、略Ｕ字型であり、懸架端部１ａは、ネジ受け端部１ｂよりも短いので、ネジ４で側板２、天板５、ネジ受け部１を螺着したときに、ネジ４より下部の位置で、天板５と側板２との密着性が高まる。これは、ネジ４より上部の位置では、天板５と側板２との間には、ネジ受け部１が介在していたが、懸架端部１ａを短い構成としたため、ネジ４より下部の位置では、天板５と側板２との間には、ネジ受け部１が介在しな
い分だけ、ネジ４の締結力によって、天板５と側板２とが密着することができるためである。このように密着性が向上することで、水などの浸入を防止し、悪天候の中でも使用可能な室外機を提供することができる。また、延出部１ｆを設けたことで、挿入しやすくなっており、作業の効率が向上する。
【００２１】
なお、延出部１ｆを外方に延出させるとは、ネジ受け部１の端部を、ネジ受け部１の形状である略Ｕ字型の開口部を更に開く方向に延出させるということである。
【００２２】
また、本実施の形態では、金属製のネジ受け部１を使用したが、これに限定されるものではなく、樹脂材などを使用して、コストダウン、軽量化を図ってもよい。
【００２３】
以上のように、本実施の形態では、天板５と、側板２と、ネジ４が螺着されるネジ受け部１とを備え、天板５と側板２とネジ受け部１とをネジ４で締結する構成としたことにより、側板２とは別にネジ受け部１を設けた構成であるので、側板２の板厚に関係なく、ネジ４はネジ受け部１に螺着されるので、側板２の板厚の薄肉化、軽量化にもネジ４の締結強度を確保したまま実現することができる。
【産業上の利用可能性】
【００２４】
以上のように、本発明に係る空気調和機の室外機は、筐体を構成する板の厚さによらず、ネジの締結強度を確保することができるので、空気調和機だけに限らず、給湯機などの室外機の筐体などにも適用できる。
【図面の簡単な説明】
【００２５】
【図１】本発明の第１の実施の形態におけるネジ受け部の斜視図
【図２】同実施の形態における室外機の要部分解斜視図
【図３】同実施の形態における室外機の要部分解斜視図
【図４】同実施の形態における室外機の要部斜視図
【図５】同実施の形態におけるＡ−Ａ断面図
【図６】従来の空気調和機の室外機の分解斜視図
【図７】従来の空気調和機の室外機の要部分解斜視図
【符号の説明】
【００２６】
１  ネジ受け部
１ａ  懸架端部
１ｂ  ネジ受け端部
１ｃ  雌ネジ部
１ｄ  嵌合部
１ｅ  連通部
１ｆ  延出部
２  側板
２ａ  ネジ貫通孔
２ｂ  凸部
４  ネジ
５  天板
【図１】
2007132590.tif 000003
【図２】
2007132590.tif 000004
【図３】
2007132590.tif 000005
【図４】
2007132590.tif 000006
【図５】
2007132590.tif 000007
【図６】
2007132590.tif 000008
【図７】
2007132590.tif 000009